(57)【要約】【課題】ストロボ撮影を行える機会を増やし、シャッタチャンスを逃す可能性を減らす。【解決手段】ストロボ装置の発光量を決定する決定手段と、ストロボ装置を構成する部材の少なくとも一部の構成部材の発熱状態を判定する判定手段と、判定手段の判定の結果によりストロボ発光に制限をかける（＃１１４，＃１１６）ストロボ制御手段とを有する撮像装置において、ストロボ制御手段が、判定手段にて構成部材の発熱が基準値を超えていると判定された場合であっても、判定手段の判定よりも前に決定手段により決定された発光量が規定量以下の場合には、ストロボ発光に制限をかけることを禁止する（＃１１５）。【選択図】図４
2009098477.tif 000002
【特許請求の範囲】
【請求項１】
ストロボ装置の発光量を決定する決定手段と、
前記ストロボ装置を構成する部材の少なくとも一部の構成部材の発熱状態を判定する判定手段と、
前記判定手段の判定の結果によりストロボ発光に制限をかけるストロボ制御手段とを有する撮像装置において、
前記ストロボ制御手段は、前記判定手段にて前記構成部材の発熱が基準値を超えていると判定された場合であっても、前記判定手段の判定よりも前に前記決定手段により決定された発光量が規定量以下の場合には、前記ストロボ発光に制限をかけることを禁止することを特徴とする撮像装置。
【請求項２】
前記ストロボ制御手段は、前記判定手段の判定よりも前に前記決定手段によって発光が決定されていない場合には、前記判定手段にて前記構成部材の発熱が基準値を超えていると判定されると、前記ストロボ装置を発光させないことを特徴とする請求項１に記載の撮像装置。
【請求項３】
前記決定手段は、予備発光を行い、該予備発光を行った際に得られた被写体輝度値を用いて、前記発光量を決定することを特徴とする請求項１に記載の撮像装置。
【請求項４】
前記ストロボ制御手段は、前記判定手段の判定よりも前に前記決定手段によって発光が決定されていない場合には、前記判定手段にて前記構成部材の発熱が基準値を超えていると判定されると、前記ストロボ装置に予備発光させないことを特徴とする請求項３に記載の撮像装置。
【請求項５】
前記ストロボ発光に制限をかける場合には、ストロボ撮影の間隔を長くすることを特徴とする請求項１乃至４のいずれかに記載の撮像装置。
【請求項６】
前記ストロボ撮影の間隔を長くするとは、ストロボ発光の間隔を一定時間以上とすることを特徴とする請求項５に記載の撮像装置。
【発明の詳細な説明】
【技術分野】
【０００１】
本発明は、発熱に関する情報によりストロボ発光に制限をかけるストロボ制御手段を有する撮像装置に関するものである。
【背景技術】
【０００２】
ストロボ装置の発光源としては、キセノン管などが用いられる。この種のストロボ装置を連続して発光させた場合には、該ストロボ装置を構成する部材の一部がキセノン管にて発せられる光の照射を受けて高温となる（発熱する）場合がある。特に、キセノン管の前面に配されたフレネルレンズ等は、その役割からも他の部材より多くの光の照射をうける傾向にあるため、他の部材より高温になり易い。そのため、フレネルレンズを構成する素材によっては、高温のため、溶解してしまう等、ダメージを与えるケースがある。
【０００３】
フレネルレンズ等へのダメージを抑制することを目的とものとしては、連続で撮影を行い、高温になることが想定される場合には、撮影に制限をかける装置が提案されている（例えば、特許文献１，２，３）。これらの提案は、発熱に関する情報に相当する積算値をカウントし、カウント値が所定値に達すると撮影を禁止するものである。
【特許文献１】特開平２００１−６６６７５号
【特許文献２】特開平２００１−３０５６１６号
【特許文献３】特開平２００３−３０４４１９号
【発明の開示】
【発明が解決しようとする課題】
【０００４】
キセノン管からの光の照射を受けて高温となるのは、ストロボ装置内のメインコンデンサに蓄えられた電気的なエネルギーをフルに使った発光を行った場合である。調光機能を持ったストロボ装置などで発光量が微小な場合においては、キセノン管からの光の照射を受け続けても、必ずしもフレネルレンズ等にダメージを与えるまでは至らないことが、出願人による実験の結果として得られている。にもかかわらず一律にストロボ撮影制限をかけてしまうことは、ストロボ装置を使った撮影機会を逸することになり、実際にストロボ撮影をしたいときに撮影ができず、シャッタチャンスを逃してしまう可能性があった。
【０００５】
（発明の目的）
本発明の目的は、ストロボ撮影を行える機会を増やし、シャッタチャンスを逃す可能性を減らすことのできる撮像装置を提供しようとするものである。
【課題を解決するための手段】
【０００６】
上記目的を達成するために、本発明は、ストロボ装置の発光量を決定する決定手段と、前記ストロボ装置を構成する部材の少なくとも一部の構成部材の発熱状態を判定する判定手段と、前記判定手段の判定の結果によりストロボ発光に制限をかけるストロボ制御手段とを有する撮像装置において、前記ストロボ制御手段が、前記判定手段にて前記構成部材の発熱が基準値を超えていると判定された場合であっても、前記判定手段の判定よりも前に前記決定手段により決定された発光量が規定量以下の場合には、前記ストロボ発光に制限をかけることを禁止する撮像装置とするものである。
【発明の効果】
【０００７】
本発明によれば、ストロボ撮影を行える機会を増やし、シャッタチャンスを逃す可能性を減らすことができる撮像装置を提供できるものである。
【発明を実施するための最良の形態】
【０００８】
本発明を実施するための最良の形態は、以下の実施例に示す通りである。
【実施例】
【０００９】
図１は本発明の一実施例に係わる、撮像装置の一例である一眼レフレックスカメラおよび該カメラに対して着脱自在なストロボ装置の光学的配置の概略を示す図である。
【００１０】
図１において、１はカメラ本体であり、その前面には撮像レンズ１１が装着される。また、カメラ本体１には着脱自在のストロボ装置３０が装着されている。
【００１１】
まず、カメラ本体１側の構成について説明する。
【００１２】
カメラ本体１内には光学部品、機械部品、電気回路およびフィルム又はＣＣＤ等の撮像素子などが収納され、写真又は画像撮影が行えるようになっている。２は主ミラーであり、ファインダ観察状態では、撮影光路内に斜設され、撮影状態では撮影光路外に退避する。また、主ミラー２はハーフミラーとなっており、撮影光路内に斜設されているときは、後述する焦点検出光学系に被写体からの光線の約半分を透過させる。
【００１３】
３はファインダ光学系の一部を構成する、撮像レンズ１１の予定結像面に配置されたピント板、４はファインダ光路変更用のペンタプリズムである。５は接眼レンズであり、撮影者はこの接眼レンズ５の後方にある窓からピント板３を観察することで、撮影画面を観察することができる。６は結像レンズであり、７はファインダ観察画面内の被写体輝度を測定するための測光センサである。結像レンズ６は、ペンタプリズム４内の反射光路を介してピント板３と測光センサ７とを共役に関係付けている。
【００１４】
８はフォーカルプレーンシャッタである。９は感光部材であり、銀塩フィルム又はＣＣＤ等の撮像素子が用いられる。２５はサブミラーであり、主ミラー２と同様に、ファインダ観察状態では撮影光路内に斜設され、撮影状態では撮影光路外に退避する。このサブミラー２５は、斜設された主ミラー２を透過した光線を下方に折り曲げて、後述の焦点検出ユニット２６の方に導く。
【００１５】
２６は焦点検出ユニットであり、２次結像ミラー２７、２次結像レンズ２８、焦点検出ラインセンサ２９等から構成されている。２次結像ミラー２７および２次結像レンズ２８は焦点検出光学系を構成しており、撮像レンズ１１の２次結像面を焦点検出ラインセンサ２９上に形成している。焦点検出ユニット２６は、例えば、いわゆる位相差検出方式によって撮像レンズ１１の焦点調節状態を検出し、その検出結果は撮像レンズの焦点調節機構を制御するカメラマイコン（後述）に送られる。
【００１６】
１０はカメラ本体１と撮像レンズ１１との通信インターフェイスとなるレンズマウント接点群である。
【００１７】
次に、撮像レンズ１１側の構成について説明する。
【００１８】
１２〜１４は群を成すレンズ、１５は絞りである。１群レンズ１２は光軸上を前後に移動することで、撮影画面のピント位置を調整するフォーカスレンズである。２群レンズ１３は光軸上を前後に移動することで撮像レンズ１１の焦点距離を変更し、撮影画面の変倍を行うズームレンズである。３群レンズ１４は固定レンズである。
【００１９】
１６は１群レンズ（以下、フォーカスレンズ）１２を光軸方向に移動させるフォーカス駆動モータであり、自動焦点調節動作によりフォーカスレンズ１２を前後に移動させる。１７は絞り駆動モータであり、絞り１５の開口径を変化させるようにこれを駆動する。１８は距離エンコーダであり、フォーカスレンズ１２に取り付けられたブラシ１９が距離エンコーダ１８に設けられた所定パターンの電極を摺動することで、フォーカスレンズ１２の位置に応じた信号を検出する。２群レンズ１３には不図示の位置検出器が設けられており、２群レンズ１３の位置から得られる焦点距離情報とフォーカスレンズ１２の位置から得られるピント位置情報を得ることで、被写体距離を得ることができる。
【００２０】
次に、ストロボ装置３０の構成について説明する。このストロボ装置３０は、カメラ本体１に着脱可能であり、カメラ本体１からの信号に従って発光制御を行う。
【００２１】
３１はキセノン管であり、電流エネルギーを発光エネルギーに変換する。３２はフレネルレンズであり、３３は反射板であり、それぞれ発光エネルギーを効率良く被写体に向けて集光する役目を持つ。３７はグラスファイバーであり、キセノン管３１の発光量をモニターするために、キセノン管３１から発光した光の一部をフォトダイオード等の受光素子３８に導く。これにより、キセノン管３１の予備発光および本発光の光量をモニターすることができる。
【００２２】
３６は、反射笠３３と一体となったライトガイドであり、ファイバー３７にキセノン管３１からの光の一部を反射して導く。３９はカメラ本体１とストロボ装置３０との通信インターフェイスとなるホットシューに設けられたストロボ接点群である。
【００２３】
次に、図２を用いて、カメラ本体１および撮像レンズ１１の回路構成について説明する。なお、図１と同じ部分には同一の符号を付し、その説明は省略する。
【００２４】
まず、カメラ本体１内の回路構成について説明する。
【００２５】
１０１はカメラマイコンであり、焦点検出回路１０５、測光回路１０６、シャッタ制御回路１０７、モータ制御回路１０８および液晶表示回路１１１に接続されている。カメラマイコン１０１は、撮像レンズ１１内に配置されたレンズマイコン１１２とはレンズマウント接点群１０を介して信号伝達を行う。また、カメラマイコン１０１は、ストロボ装置３０内に設けられた、図３により後述するストロボマイコン２３８とはストロボ接点群３９を介して信号伝達を行う。
【００２６】
焦点検出回路１０５は、カメラマイコン１０１からの信号に従って焦点検出ラインセンサ２９の蓄積制御と読み出し制御を行い、それぞれの画素情報をカメラマイコン１０１に出力する。カメラマイコン１０１はこの情報をＡ／Ｄ変換し、位相差検出法による焦点調節状態の検出を行う。なお、焦点調節状態の検出方法は、位相差検出法に限るものでは無く、公知の方法を用いればよいことは言うまでもない。そして、カメラマイコン１０１は、レンズマイコン１１２と信号のやりとりを行うことによって、撮像レンズ１１の焦点調節制御を行う。
【００２７】
測光回路１０６は、被写体に向けてストロボ光を予備発光していない定常状態と予備発光している状態と双方の状態で輝度信号を出力する。カメラマイコン１０１はこの輝度信号をＡ／Ｄ変換し、撮影の露出調節のための絞り値およびシャッタ速度の演算と、露光時のストロボ発光量の演算とを行う。シャッタ制御回路１０７は、カメラマイコン１０１からの信号に従ってフォーカルプレーンシャッタ８を構成するシャッタ先幕駆動マグネットＭＧ−１およびシャッタ後幕駆動マグネットＭＧ−２の通電制御を行う。これにより、先幕および後幕が走行し、露光動作が行われる。モータ制御回路１０８は、カメラマイコン１０１からの信号に従ってモータＭを制御することにより、主ミラー２のアップダウンおよびシャッタチャージなどを行う。
【００２８】
ＳＷ１は、不図示のレリーズボタンの第１ストローク（半押し）操作でオンし、測光、ＡＦ（自動焦点調節）を開始させるスイッチである。ＳＷ２は、レリーズボタンの第２ストローク（全押し）操作でオンし、シャッタ走行、すなわち露光動作を開始させるスイッチである。ＳＷＦＥＬＫは予備発光を独立して行わせ、その後ＦＥロックモードに移行するスイッチである。ＦＥロックモードとは、後述の図６で説明するが、スイッチＳＷＦＥＬＫの操作に応じて予備発光が行われ、このときの被写体の輝度から、撮影時の本発光量を決定するモードである。スイッチＳＷ２がオンされる前であれば、ユーザーは任意のタイミングでスイッチＳＷＦＥＬＫを操作して予備発光を行い、ＦＥロックモードに移行させることができる。
【００２９】
上記のスイッチＳＷ１，ＳＷ２，ＳＷＦＥＬＫ、および、その他不図示の操作部材であるＩＳＯ感度設定スイッチ、絞り設定スイッチ、シャッタ速度設定スイッチなどの各スイッチの状態信号は、カメラマイコン１０１が読み取る。
【００３０】
液晶表示回路１１１は、ファインダ内表示器２４と外部表示器４２をカメラマイコン１０１からの信号に従って制御する。
【００３１】
次に、撮像レンズ１１内の回路構成について説明する。
【００３２】
カメラ本体１と撮像レンズ１１とは、上述したようにレンズマウント接点群１０を介して相互に電気的に接続される。このレンズマウント接点群１０には、撮像レンズ１１内のフォーカス駆動モータ１６および絞り駆動モータ１７の電源用接点である接点Ｌ０、レンズマイコン１１２の電源用接点Ｌ１、シリアルデータ通信を行うためのクロック用接点Ｌ２を含む。さらには、カメラ本体１から撮像レンズ１１へのデータ送信用接点Ｌ３、撮像レンズ１１からカメラ本体１へのデータ送信用接点Ｌ４、モータ用電源に対するモータ用グランド接点Ｌ５、レンズマイコン１１２用電源に対するグランド接点Ｌ６を含む。
【００３３】
レンズマイコン１１２は、これらのレンズマウント接点群１０を介してカメラマイコン１０１と接続され、カメラマイコン１０１からの信号に応じてフォーカス駆動モータ１６および絞りモータ１７を動作させ、撮像レンズ１１の焦点調節と絞りを制御する。５０は光検出器であり、５１はパルス板であり、レンズマイコン１１２がこれらを用いてパルス数をカウントすることによりフォーカスレンズ１２の駆動距離情報を得る。これらは距離エンコーダ１８よりも分解能が高く、撮像レンズ１１の細かな焦点調節を行うことができる。距離エンコーダ１８は、焦点調節されて合焦状態となったフォーカスレンズ１２の位置情報を読み取ってレンズマイコン１１２に入力し、フォーカスレンズ１２の位置に対応する距離情報に変換され、カメラマイコン１０１に伝達される。
【００３４】
次に、ストロボ装置３０の回路構成について、図３を用いて説明する。なお、図１と同じ部分には同一の符号を付し、その説明を省略する。
【００３５】
図３において、２０１は電源電池、２０２はＤＣ−ＤＣコンバータであり、電池電圧を数１００Ｖに昇圧する。２０３は発光エネルギーを蓄積するメインコンデンサである。２０４，２０５は抵抗であり、メインコンデンサ２０３の電圧を所定比に分圧する。２０６は発光電流を制限するためのコイル、２０７は発光停止時に発生する逆起電圧を吸収するためのダイオードである。２１１はトリガ発生回路、２１２はＩＧＢＴなどの発光制御回路である。
【００３６】
２３２はストロボ発光時の発光量制御用のコンパレータである。２３６は受光素子３８に流れる光電流を対数圧縮するとともにキセノン管３１の発光量を圧縮積分するための積分測光回路である。２３８はストロボ装置３０全体の動作を制御するストロボマイコンである。
【００３７】
次に、ストロボマイコン２３８の各端子について説明する。ＣＮＴはＤＣ／ＤＣコンバータ２の充電を制御する制御出力用の端子、ＡＤ１は充電電圧を読み込むためのＡ／Ｄ変換入力用の端子、ＣＬＫはカメラ本体１とシリアル通信を行うための同期クロック入力用の端子である。また、ＤＯは、同期クロックに同期して、ストロボ装置３０からカメラ本体１にシリアルデータを転送するためのシリアル出力用の端子である。ＤＩは、同期クロックに同期して、カメラ本体１からストロボ装置３０にシリアルデータを受け取るためのシリアルデータ入力用の端子である。
【００３８】
また、ＣＨＧはストロボ装置３０からカメラ本体１にキセノン管３１の発光可否を伝達するための出力用の端子、Ｘはカメラ本体１からのストロボ発光指令が入力される端子である。ＩＮＴは積分測光回路２３６の積分制御出力用の端子、ＡＤ０は積分測光回路２３６から発光量を示す積分電圧を読み込むためのＡ／Ｄ変換入力用の端子、ＤＡ０はコンパレータ２３２のコンパレート電圧を出力するためのＤ／Ａ出力用の端子である。ＴＲＩＧは発光トリガ信号の出力用の端子である。
【００３９】
次に、以上のように構成されたストロボ撮影システムにおける各マイコン１０１，１１２，２３８での動作について、図４乃至図７のフローチャートに沿って詳細に説明する。なお、各マイコンの動作についてはマルチタスクでの動作を前提としており、以下で説明する複数のフローチャートのいくつかは同時に進行されるものである。同時進行されるフローチャートはその都度にその説明を行う。
【００４０】
まず、カメラ本体１のスイッチＳＷ１がオンされた場合の動作について、図４のフローチャートにしたがって説明する。
【００４１】
スイッチＳＷ１がオンされると、カメラマイコン１０１は、ステップ＃１００にて、焦点検出ユニット２６の焦点検出ラインセンサ２９に結像させる。そして、次のステップ＃１０１にて、焦点検出ユニット２６の焦点検出ラインセンサ２９に結像された被写体像のずれから公知の方法で焦点検出を行い、合焦位置までのレンズ駆動量を演算する。そして、シリアル通信ラインを介してレンズマイコン１１２に対して算出したレンズ駆動量を出力する。
【００４２】
次のステップ＃１０２では、カメラマイコン１０１とレンズマイコン１１２とで信号のやり取りを行い、フォーカスレンズ１２が合焦幅内にあるか否かを判定する。合焦幅内でない場合はステップ＃１０３へ進み、レンズマイコン１１２がフォーカス駆動を行う。つまり、上記のレンズ駆動量に基づいてフォーカス駆動モータ１６を駆動し、それに直結したパルス板５１の回転を光検出器５０で読み取る。そして、フォーカス駆動モータ１６が指定されたレンズ駆動量を駆動すると、フォーカス駆動モータ１６を停止する。その後はステップ＃１００に戻る。
【００４３】
上記ステップ＃１０２にて、フォーカスレンズ１２が合焦幅内であることを判定すると、カメラマイコン１０１は、ステップ＃１０４へ処理を進める。そして、ここでは、測光回路１０６の不図示の対数圧縮アンプにより対数圧縮され、電圧値に変換された値をＡ／Ｄ入力端子から読み込む。続くステップ＃１０５では、カメラマイコン１０１は、測光結果からシャッタ速度の値（ＴＶ値）と絞りの値（ＡＶ値）とを決定し、ＴＶ値とＡＶ値をファインダ内表示器２２および外部表示器４２に表示する。
【００４４】
次のステップ＃１０６では、カメラマイコン１０１は、スイッチＳＷ２がオンされているかどうかを判定し、オンされていればステップ＃１０７へ進み、オフであればステップ＃１０４に戻って、上記処理を繰り返す。なお、スイッチＳＷ１もオフにされた場合、処理を終了する。
【００４５】
スイッチＳＷ２がオンされているとしてステップ＃１０７へ進むと、カメラマイコン１０１は、今のストロボ撮影の状態が事前に発光量が決定されているＦＥロックモードかどうかを判定する。どのような操作がなされた場合にＦＥロックモードになるかについては、図６のフローチャートにて詳細説明を行う。ここで、ＦＥロックモードであった場合にはステップ＃１１４へ進み、ＦＥロックモードでない場合にはステップ＃１０８へ進む。
【００４６】
以下、ＦＥロックモードであるかないかで動作が異なるが、まず、ＦＥロックモードでないと判定してステップ＃１０８へ進んだ場合について説明する。
【００４７】
ＦＥロックモードでないとしてステップ＃１０８へ進むと、カメラマイコン１０１は、発熱積算値が所定値以上の積算値になっているかどうかを判定する。この発熱積算値は、本発光が実施される度に演算された本発光量を加算するとともに、本発光の実施間隔に応じて減算が行われることで求められる値であって、カメラマイコン１０１の内部メモリに記憶されている。基準値を例えば１００とすると、発熱積算値が１００以上の場合は、それ以上発光を行うとフレネルレンズ３２などのストロボ装置を構成する部分がダメージを受ける恐れがあるとして、発光を禁止すべくステップ＃１１６へ進む。つまり、ステップ＃１１６では、図２の外部表示器４２に“発熱のために撮影不可”表示、つまりレリーズ禁止表示を行い、処理を終える。一方、発熱積算値が１００以上の場合は、発光しても未だフレネルレンズ３２などへのダメージはないとして、撮影動作を続行するためにステップ＃１０９へ進む。
【００４８】
撮影動作を続行するためにステップ＃１０９へ進むと、カメラマイコン１０１は、定常光による被写体輝度を撮像レンズ１１を通して、カメラ本体１内の測光回路１０６より取得する。そして、次のステップ＃１１０にて、端子Ｓ０，Ｓ１，Ｓ２を通してシリアル通信によりストロボマイコン２３８に対して予備発光を指令する。ストロボマイコン２３８は、この予備発光指令を受けて、所定光量での予備発光動作を行う。
【００４９】
ここで、ストロボマイコン２３８での動作の詳細について、図３を用いて説明する。ストロボマイコン２３８は、カメラマイコン１０１より指示された所定発光レベルに応じて、端子ＤＡ０に所定の電圧（コンパレート電圧）を設定する。このとき、キセノン管３１は未だ発光していないので、コンパレータ２３２の反転入力端子に入力される積分測光回路２３６の出力は発生しない。コンパレータ２３２の出力はＨｉ（ハイレベルを意味する）であるので、発光制御回路２１２は導通状態となる。
【００５０】
次に、端子ＴＲＩＧより発光トリガ信号を出力すると、トリガ発生回路２１１は高圧を発生したキセノン管３１を励起し、発光が開始される。一方、ストロボマイコン２３８は、積分測光回路２３６に積分開始を指示し、積分測光回路２３６は受光素子３８の対数圧縮された光電出力の積分を開始する。
【００５１】
また、発光終了時に、ストロボマイコン２３８は、予備発光量を積分した積分測光回路２３６の出力をＡ／Ｄ入力用の端子ＡＤ０から読み込んでＡ／Ｄ変換し、積分値、すなわち予備発光時の発光量をディジタル値として読み取る。
【００５２】
次にステップ＃１１１では、予備発光による被写体反射光が撮像レンズ１１を通して、カメラ本体１内の測光回路１０６で受光されるので、カメラマイコン１０１がストロボ反射光による被写体輝度値を取得する。そして、次のステップ＃１１２にて、カメラマイコン１０１は、予備発光時の被写体輝度から定常光による被写体輝度を差し引くことにより、予備発光による反射光分のみの輝度値を抽出する。そして次のステップ＃１１３にて、適正露光を得るために必要な本発光量を演算する。これはステップ＃１１２で抽出された反射光分のみの輝度値と、適正露光となるために必要な反射光分の理想の輝度値の比率を求め、その比率と予備発光時の光量を乗算することで、本発光量を決定している。
【００５３】
次に、上記ステップ＃１０７にてＦＥロックモードであると判定した場合の動作について説明する。
【００５４】
ＦＥロックモードであると判定してステップ＃１１４へ進むと、カメラマイコン１０１は、発熱積算値が所定値以上の積算値になっているかどうかを判定する。発熱積算値が１００以上の場合はそれ以上、発光を行うと、フレネルレンズなどのストロボ装置を構成する部分がダメージを受ける恐れがあるとしてステップ＃１１５へ進む。発熱積算値が１００未満の場合は、発光しても未だフレネルレンズなどストロボ装置を構成する部分にダメージを与える恐れはないとして、撮影動作を続行するために後述する図５のステップ＃６０１以降の処理へ進む。
【００５５】
フレネルレンズなどのストロボ装置を構成する部分がダメージを受ける恐れがあるとしてステップ＃１１５へ進むと、カメラマイコン１０１は、事前に決定されている発光量を判定する。発光量がフル発光時の１／１６未満の時には、エネルギーが弱く、たとえ発光したとしても、フレネルレンズなどのストロボ装置を構成する部分へのダメージは殆んど無いので、撮影動作を続行するために後述する図５のステップ＃６０１以降の処理へ進む。また、発光量がフル発光時の１／１６以上の時にはステップ＃１１６へ進み、図２の外部表示器４２に“発熱のために撮影不可”表示、つまりレリーズ禁止表示を行い、処理を終える。ここで、ＦＥロックモードである場合（ステップ＃１０７にてＹＥＳ）には、発光量がフル発光時の１／１６以上であるか否かを判定するのに対して、ＦＥロックモードでない場合（ステップ＃１０７にてＮＯ）にはこの発光量の判定がない理由について説明する。ＦＥロックモードでない場合には、まだ本発光量が求められていないため、発光量を求めるためにはスイッチＳＷ２がオンされた後に予備発光を行う必要がある。ＦＥロックモードでない場合には、予備発光と後述する図５の本発光とが連続して行われるため、ユーザーや被写体が特別に意識していなければ、予備発光だけ行われたのか、予備発光と本発光の両方が行われたのかを区別することは困難である。そのため、ユーザーが撮影を意図してＳＷ２をオンして、予備発光が行われたにも関わらず、その直後に演算された本発光量に応じてレリーズを禁止するという仕様は、使い勝手の点からみて好ましいものではない。そのため、ＦＥロックモードでない場合には、スイッチＳＷ２がオンされた時点で発熱積算値が１００以上であれば、予備発光を行うことなくレリーズを禁止する。これに対し、ＦＥロックモードである場合には、スイッチＳＷ２がオンされた後に予備発光を行う必要がないため、事前に求めた本発光量が少量（フル発光時の１／１６未満）の場合に限って、レリーズを禁止せずに本発光を許可している。
【００５６】
次に、撮影動作を続行するために図５のステップ＃６０１へ進んだ場合について説明する。
【００５７】
図５のステップ＃６０１では、カメラマイコン１０１は、ストロボマイコン２３８に対してストロボ発光量を送信する。次のステップ＃６０２では、ストロボ発光の発熱積算値を加算する。
【００５８】
以下に、発熱積算値の具体例を記す。
【００５９】
・ストロボ発光量がフル発光となる場合は８
・ストロボ発光量がフル発光に対して１／２の発光量となる場合は４
・ストロボ発光量がフル発光に対して１／４の発光量となる場合は２
・ストロボ発光量がフル発光に対して１／８の発光量となる場合は１
・ストロボ発光量がフル発光に対して１／１６の発光量以下の場合は０
である。ここで、発光量に対して加算される発熱積算値は温度上昇に寄与する値として、実験や試作品の評価により決定をすればよい。
【００６０】
次のステップ＃６０３では、カメラマイコン１０１は、主ミラー２及びサブミラー２５を跳ね上げて撮影光路から退避させると同時に、レンズマイコン１１２に対して絞り１５の絞り込みを指示する。そして、次のステップ＃６０４にて、主ミラー２及びサブミラー２５が撮影光路から退避するのを待つ。主ミラー２及びサブミラー２５が跳ね上がるとステップ＃６０５へ進み、カメラマイコン１０１は、先幕駆動マグネットＭＧ−１に通電し、フォーカルプレーンシャッタ８の開放動作を開始させる。
【００６１】
次のステップ＃６０６では、ストロボマイコン２３８が本発光制御を行う。詳しくは、ストロボマイコン２３８は、まず制御電圧をＤＡ０端子に出力する。この制御電圧は、前述の予備発光時に説明した積分測光回路２３６の出力電圧、すなわち積分電圧に対して、予備発光と本発光との光量差に相当する制御電圧を加算した電圧である。本発光の光量とは、スイッチＳＷＦＥＬＫの操作に応じて演算された本発光量、あるいは、上述のステップ＃１１３にて演算された本発光量が相当する。
【００６２】
例えば、フル発光量の１／３２の光量で予備発光をした場合の積分電圧をＶ１としたときに、本発光量が同じ１／３２の場合は、同じ積分電圧になった時に発光停止すればよいので、コンパレータ２３２のコンパレート電圧としてＶ１を設定する。同様に、本発光量がフル発光量の１／１６の場合には、予備発光に対して１段分大きな積分電圧になったときに発光を停止すればよいので、予備発光時の積分電圧に１段分に相当する電圧を加算してコンパレータ２３２のコンパレート電圧として設定する。
【００６３】
キセノン管３１が未だ発光していない状態では、受光素子３８にはほとんど光電流が流れない。このため、積分測光回路２３６の出力は発生せず、コンパレータ２３２の−入力電圧は＋入力端子よりも電位が低い。したがって、コンパレータ２３２の出力はＨｉとなり、発光制御回路２１２は導通状態となる。
【００６４】
また、これと同時に、ストロボマイコン２３８は、端子ＴＲＩＧから所定時間の間、Ｈｉを出力する。これにより、トリガ回路２１１は高圧のトリガ電圧を発生する。キセノン管３１のトリガ電極に高圧が印加されると、キセノン管３１は発光を開始する。キセノン管３１が発光を開始すると、受光素子３８に光電流が流れ、積分測光回路２３６の出力が上昇する。コンパレータ２３２の＋入力端子に設定された所定の電圧に達すると、コンパレータ２３２が反転してその出力はＬｏ（ローレベルを意味する）となり、発光制御回路２１２は遮断状態となるので発光が停止される。この時点で、キセノン管３１は所定の発光量を発生して発光を停止することになり、ストロボ撮影に必要な所望の光量が得られる。
【００６５】
所定のシャッタ開放時間が経過すると、ステップ＃６０７にて、カメラマイコン１０１は、後幕駆動マグネットＭＧ−２に通電し、フォーカルプレーンシャッタ８の後幕を閉じて露出を終了する。そして、次のステップ＃６０８にて、主ミラー２及びサブミラー２５をダウンさせ、撮影を終了する。
【００６６】
図６は、どのようにしてＦＥロックモードが設定されるかについての詳細説明を行うためのフローチャートである。図６のフローチャートはマルチタスクの１タスクとして処理され、他のフローチャートと同時に進行する。
【００６７】
ステップ＃７０７では、カメラマイコン１０１は、接続されているスイッチＳＷＦＥＬＫの状態を読み取り、押されていなければ該スイッチＳＷＦＥＬＫが押されるまでこのステップで待機する。その後、スイッチＳＷＦＥＬＫが押されたらステップ＃７０８へ進み、ＦＥロックモードになったことを記憶する。これは、カメラマイコン１０１内部のメモリにフラグとして残し、既に説明した図４のフローチャートのステップ＃１０７にて利用する。
【００６８】
なお、ＦＥロックモードのフラグのクリアは撮影動作が行われた後にクリアしてもよいし、所定時間が経過した後で、クリアするようにしてもよい。フラグがクリアされれば、撮影者が再度スイッチＳＷＦＥＬＫが押されるまでは通常モードでのストロボ撮影が実行される。
【００６９】
次のステップ＃７０９では、カメラマイコン１０１は、定常光による被写体輝度を撮像レンズ１１を通して、カメラ本体１の測光回路１０６より取得する。次のステップ＃７１０では、端子Ｓ０，Ｓ１，Ｓ２を通してシリアル通信によりストロボマイコン２３８に対して予備発光を指令する。ストロボマイコン２３８は、この予備発光指令を受けて、所定光量での予備発光動作を行う。
【００７０】
詳しくは、ストロボマイコン２３８は、カメラ本体１により指示された所定発光レベルに応じて、端子ＤＡ０に所定の電圧（コンパレート電圧）を設定する。このとき、キセノン管３１は未だ発光していないので、コンパレータ２３２の反転入力端子に入力される積分測光回路２３６の出力は発生しない。コンパレータ２３２の出力はＨｉであるので、発光制御回路２１２は導通状態となる。
【００７１】
次に、端子ＴＲＩＧより発光トリガ信号が出力されると、トリガ発生回路２１１が高圧を発生したキセノン管３１を励起し、発光が開始される。一方、ストロボマイコン２３８は、積分測光回路２３６に積分開始を指示し、積分測光回路２３６は受光素子３８の対数圧縮された光電出力の積分を開始する。
【００７２】
また、発光終了時に、ストロボマイコン２３８は、予備発光量を積分した積分測光回路２３６の出力をＡ／Ｄ入力端子ＡＤ０から読み込んでＡ／Ｄ変換し、積分値、すなわち予備発光時の発光量をディジタル値として読み取る。
【００７３】
次のステップ＃７１１では、カメラマイコン１０１は、予備発光による被写体反射光を撮像レンズ１１を通して、カメラ本体１内の測光回路１０６で受光して、ストロボ反射光による被写体輝度値を取得する。そして、次のステップ＃７１２にて、予備発光時の被写体輝度から定常光による被写体輝度を差し引くことにより、予備発光による反射光分のみの輝度値を抽出する。そして次のステップ＃７１３にて、適正露光を得るために必要な本発光量を演算する。これはステップ＃７１２で抽出された反射光分のみの輝度値と、適正露光となるために必要な反射光分の理想の輝度値の比率を求め、その比率と予備発光時の光量を乗算することで、本発光量を決定している。ＦＥロックモードではこの時点で本発光量が決定されることになる。
【００７４】
図７は、発熱積算値を時間とともに減算させていくタスクのフローチャートである。ストロボ発光による発熱は時間とともに冷却されるが、このフローチャートはこの冷却の概念を具現化するための部分となる。図７のフローチャートはマルチタスクの１タスクとして処理され、他のフローチャートと同時に進行する。
【００７５】
ステップ＃８０１では、カメラマイコン１０１は、時間の経過を観察する。５分の時間が経過したらステップ＃８０２へ進むが、時間が経過しないうちはステップ＃８０１にて待機する。５分が経過したとしてステップ＃８０２へ進むと、発熱積算値から一定値を減算する。発熱積算値が０になったら、それ以上の減算を止める。その後はステップ＃８０３へ進み、５分タイマを再スタートし、ステップ＃８０３に戻る。
【００７６】
以上の実施例によれば、ストロボ撮影に際して、ストロボ装置での発光量を決定するとともに、ストロボ装置を構成する部材の少なくとも一部の構成部材の発熱状態を検出する手段（例えば温度を測定または測定を代替する手段）を有する。そして、発熱状態を検出する手段の状態によって、ストロボ撮影の間隔を変更、例えばストロボ発光の時間間隔を一定時間以上（例えば５分以上）にする（図４のステップ＃１０８，＃１１４，＃１１５、図７参照）等によりストロボ発光に制限をかける構成にしている。
【００７７】
しかし、決定された発光量が規定量以下（実施例では、図４のステップ＃１１５のフル発光の１／１６未満）と判定したとする。このような場合には、ストロボ発光に制限をかけることを禁止し、ストロボ撮影を続行させるようにしている。
【００７８】
これにより、一律にストロボ撮影に制限をかけてしまうことなく、ストロボ装置を使った撮影機会を逸することにならず、ストロボ撮影者にとって大いなる不利益をもたらす問題を解消する。換言すれば、ストロボ撮影を行える機会を増やし、シャッタチャンスを逃すことを軽減することができるストロボ装置および撮像装置を提供可能となる。
【００７９】
上記の実施例では、ストロボ装置を構成する部材の少なくとも一部の構成部材の温度を測定または測定を代替する手段として、発熱積算値を用いたが、サーミスタなどの温度センサを用いてもよい。
【００８０】
また、ストロボ装置３０はカメラ本体１に着脱自在なものとしたが、カメラ本体１１０に内蔵されるストロボ装置であっても良い。
【図面の簡単な説明】
【００８１】
【図１】本発明の一実施例に係わる撮像装置およびストロボ装置の光学配置の概略を示す図である。
【図２】本発明の一実施例に係わる撮像装置の回路構成を示すブロック図である。
【図３】本発明の一実施例に係わるストロボ装置の回路構成を示すブロック図である。
【図４】本発明の一実施例に係る撮像装置およびストロボ装置の動作の一部を示すフローチャートである。
【図５】図４の動作の続きを示すフローチャートである。
【図６】本発明の一実施例においてＦＥロックモードが設定される場合についての説明を行うためのフローチャートである。
【図７】本発明の一実施例において発熱積算値を時間とともに減算させていく際の動作を示すフローチャートである。
【符号の説明】
【００８２】
１      カメラ本体
１１    撮像レンズ
１２    １群レンズ（フォースレンズ）
１６    フォーカス駆動モータ
２６    焦点検出ユニット
３０    ストロボ装置
３１    キセノン管
３３    反射板
３２    フレネルレンズ
３８    受光素子
３６    ライトガイド
１０１  カメラマイコン
１１２  レンズマイコン
２３８  ストロボマイコン
【図１】
2009098477.tif 000003
【図２】
2009098477.tif 000004
【図３】
2009098477.tif 000005
【図４】
2009098477.tif 000006
【図５】
2009098477.tif 000007
【図６】
2009098477.tif 000008
【図７】
2009098477.tif 000009